(57)【要約】【課題】外筒内に内筒を挿入した構造のエアゾール二重容器において、可撓性に富む材料からなる内筒を用いた場合でも、内容物を充填する際に、内筒に変形が生じることがないようにし、かつ内筒を外筒を容易に挿入できるようにする。【解決手段】剛性材料からなる外缶２１と、この外缶２１内に収められた可撓性材料からなる内袋３１と、これら外缶２１および内袋３１の口部２３、３５を塞ぐとともに内袋３１内の内容物を吐出する噴射バルブ４３を備えたマウンティングカップ４１を有したエアゾール二重容器であって、内袋３１の底部３８の中央部分が上方に鞍状に凹んでおり、この底部３８の縁部分４０のみが外缶２１の底部２５に接するようにする。【選択図】図１
2005041547.tif 000002
【特許請求の範囲】
【請求項１】
剛性材料からなる外缶と、この外缶内に収められた可撓性材料からなる内袋と、これら外缶および内袋の口部を塞ぐとともに内袋内の内容物を吐出する噴射バルブを備えたマウンティングカップを有し、
内袋の底部の中央部分が上方に鞍状に凹んでおり、この底部の縁部分のみが外缶の底部に接していることを特徴とするエアゾール二重容器。
【請求項２】
内袋の胴部の下部がテーパ状に縮径されてテーパ部となって底部に続いていることを特徴とする請求項１記載のエアゾール二重容器。
【請求項３】
内袋の底部の外径が外缶の口部の内径よりも小さくされていることを特徴とする請求項１記載のエアゾール二重容器。
【請求項４】
内袋は、その肩部から首部にかけてなだらかに湾曲していることを特徴とする請求項１記載のエアゾール二重容器。
【請求項５】
内袋の胴部には、上下方向に延びる１本以上の縦溝が形成されていることを特徴とする請求項１記載のエアゾール二重容器。
【請求項６】
縦溝の下端部がテーパ部にかかっていることを特徴とする請求項５記載のエアゾール二重容器。
【発明の詳細な説明】
【技術分野】
【０００１】
この発明は、エアゾール二重容器に関するものである。
【背景技術】
【０００２】
従来、この種のエアゾール二重容器として、特許第２９３１２４８号公報に記載のものがある。
このエアゾール二重容器は、図７に示すように、外筒１と内筒２とマウンティングカップ３とから概略構成されている。
【０００３】
外筒１は、アルミニウム合金などの剛性材料からなるもので、その口部の開口周縁部にはこれを巻き込んで形成されたカール部４が設けられている。内筒２は、ポリエチレンなどの可撓性材料からなるもので、その口部の開口周縁部にはこれを折り曲げて形成されたフランジ部５が設けられている。
マウンティングカップ３は、その中心に噴射バルブ６を備え、その外周部には上方に凸とされた湾曲周辺部７が形成されている。
【０００４】
このエアゾール二重容器の製造に際しては、まず外筒１内に内筒２を挿入し、内筒２のフランジ部５が外筒１のカール部４の上方に位置するように配置する。この時、図６に示すように、内筒２のフランジ部５が内筒２の底部の中央部分が外筒１の底部に直接接するようにする。ついで、内筒２内に内容物を充填したのち、内筒２口部にマウンティングカップ３を被せ、その湾曲周辺部７内に内筒２のフランジ部５を嵌め込む。
【０００５】
この状態で、内筒２のフランジ部５と外筒１のカール部４との間から、内外筒間の間隙に加圧窒素ガスなどの噴射用ガスを充填したのち、マウンティングカップ３を下方に降ろし、その湾曲周辺部７を内筒２のフランジ部５とともに外筒１のカール部４に被せて機械的に巻き込んでかしめることによって製造されている。
【０００６】
このような構造のエアゾール二重容器では、噴射バルブ６を押圧して開くことにより、内筒２内の内容物が噴射用ガスの圧力で吐出するようになっており、内容物に噴射用ガスが混入しない利点がある。
【０００７】
そして、このエアゾール二重容器にあっては、内筒２の底部の中央部分を外筒１の底部に乗せた状態となっているので、内容物および噴射用ガスの充填作業中に内筒２が外筒１内に落ち込むことがなく、作業性が向上するとされている。
【０００８】
しかしながら、このエアゾール二重容器では、内筒２の底部の中央部分が外筒１の底部に接していても、内筒２をなす可撓性材料がある程度の剛直性を有していないと、内容物の重みや噴射用ガスの圧力で撓み、これによって内筒２の口部が下方に落ち込み、以降の噴射用ガス充填作業やマウンティングカップ３のかしめ作業が困難となる。
【０００９】
このため、内筒２をなす材料として、ある程度の剛直性を有する材料を採用することになるが、この場合には、内筒２の可撓性が不足し、内容物の吐出のためのガス圧を高めなければならず、さらには内容物全量を使い尽くすことができなくなる問題も生じる。
またさらに、内筒２の底部の外径が外筒１の口部の内径よりも大きくなっており、内筒２を外筒１内に挿入する作業が困難で、手間がかかると言う欠点もある。
【特許文献１】特許第２９３１２４８号公報
【発明の開示】
【発明が解決しようとする課題】
【００１０】
本発明における課題は、可撓性に富む材料からなる内筒を用いた場合でも、内容物を充填する際に、内筒に変形が生じることがないようにし、内筒を外筒を容易に挿入できるようにし、上述の不都合を解決することにある。
【課題を解決するための手段】
【００１１】
かかる課題を解決するため、
請求項１にかかる発明は、剛性材料からなる外缶と、この外缶内に収められた可撓性材料からなる内袋と、これら外缶および内袋の口部を塞ぐとともに内袋内の内容物を噴射する噴射バルブを備えたマウンティングカップを有し、
内袋の底部の中央部分が上方に鞍状に凹んでおり、この底部の縁部分のみが外缶の底部に接していることを特徴とするエアゾール二重容器である。
【００１２】
請求項２にかかる発明は、内袋の胴部の下部がテーパ状に縮径されてテーパ部となって底部に続いていることを特徴とする請求項１記載のエアゾール二重容器である。
請求項３にかかる発明は、内袋の底部の外径が外缶の口部の内径よりも小さくされていることを特徴とする請求項１記載のエアゾール二重容器である。
【００１３】
請求項４にかかる発明は、内袋は、その肩部から首部にかけてなだらかに湾曲していることを特徴とする請求項１記載のエアゾール二重容器である。
請求項５にかかる発明は、内袋の胴部には、上下方向に延びる１本以上の縦溝が形成されていることを特徴とする請求項１記載のエアゾール二重容器である。
【００１４】
請求項６にかかる発明は、縦溝の下端部がテーパ部にかかっていることを特徴とする請求項５記載のエアゾール二重容器である。
【発明の効果】
【００１５】
本発明によれば、内袋の胴部の下部および底部の機械的強度が部分的に高いものとなり、内袋内に内容物を充填する際に、この部分が撓んで変形することがない。このため、内袋への内容物の充填前後で、内袋の口部の位置が下方に移動することがなくなり、内容物および噴射用ガスの充填作業に不都合が生じない。このため、内袋として、可撓性に富む材料からなるものを用いることができ、内容物の吐出に要する圧力が少なくてすみ、内容物が残ることもない。
【００１６】
また、内袋の胴部の下方がテーパ部となって縮径され、底部の外径が外缶２１の口部の内径よりも小さくされているので、内袋の外缶内への挿入作業が容易となる。
【００１７】
さらに、内袋は、その底部に形成された縁部で外缶の底部に接するので、内袋が安定する。また、底部が鞍状に凹んでいるので、内容物を吐出する際に底部が潰れやすく、きれいに折り畳まれるようになって、内容物が吐出されずに残る量が少なくなる。
【００１８】
また、内袋の肩部から首部にかけて全体になだらかに湾曲しているので、噴射用ガスの充填が抵抗なく、スムースにかつ容易に行われる。さらに、内袋３１の胴部に縦溝が形成されているので、内容物の吐出時に、胴部の中央部分が先に潰れるが、胴部が潰されても、縦溝によって隙間が形成され、底部にある内容物が吐出する通路が確保でき、内容物が底部に残ることがない。
【発明を実施するための最良の形態】
【００１９】
以下、本発明を詳しく説明する。
図１ないし図６は、本発明のエアゾール二重容器の一例を示すもので、これらの図において符号２１は外缶を示す。この外缶２１は、有筒円筒状のものであって、アルミニウム合金などの金属等の剛性を有するとともに噴射用ガスを透過しない材料からなるものである。金属からなるものでは、インパクト成形、深絞り成形、プレス成形などによって製造されたものである。
【００２０】
この外缶２１の上部は、テーパ状に縮径されて肩部２２となっており、この肩部２２の上部が開口されて口部２３となっており、さらに口部２３の開口周縁部は巻き込まれてカール部２４となっている。
また、外缶２１の底部２５は上方に向けて椀状に凹んでいる。
【００２１】
この外缶２１内には、内袋３１が収められている。この内袋３１は、図１、図３に示すように、ポリエチレン、ポリプロピレン、ナイロン（登録商標）などの可撓性に富む樹脂からなる有底円筒状のものである。内袋３１の胴部３２の上部は、図５に示すように、なだらかにテーパ部に縮径されて肩部３３となっており、この肩部３３の上部は首部３４となっている。この首部３４は、軽く外側に湾曲して拡がって口部３５に続いており、この口部３５の開口周縁部は折り返されてフランジ部３６となっている。
また、内袋３１の胴部３２の下部は、テーパ状に縮径されてテーパ部３７となって底部３８に続いている。
【００２２】
また、内袋３１の胴部３２の外周面には、図３，図４に示すように、上下方向に延びる複数の縦溝３９、３９・・が形成されている。この縦溝３９は、底の浅いＶ字状の溝で、その深さが１ｍｍ程度となっている。また、この縦溝３９は、図５に示すように、胴部３２の外周面に均等に配置され、この例では４本の縦溝３９、３９・・が９０度毎に配置されている。さらに、この縦溝３９は、図３、図４に示すように、その下端部がテーパ部３７にまで延びている。
【００２３】
また、内袋３１の底部３８は、図６に示すように、上方に向けて鞍状に凹んで凹部となっている。この凹部の外側の縁部は、下方に凸となった凸状の２個の着地部４０、４０となっている。
なお、図２は、図１の断面位置から９０度回転した断面位置での断面図であり、図４は、同じく図３の断面位置から９０度回転した断面位置での断面図である。
【００２４】
また、外缶２１の口部２３のカール部２４と、内袋３１の口部３５のフランジ部３６とが重ね合わせられ、この部分にマウンティングカップ４１の湾曲周辺部４２が被せられ、これらが一体に機械的に巻き絞められている。内袋３１のフランジ部３６の下面にはＯリング４４が装着されており、このＯリング４４を介してフランジ部３６が外缶２１のカール部２４に当接され、気密にクリンプされるようになっている。マウンティングカップ４１の中心には、噴射バルブ４３が取り付けられており、これを押圧することで内袋３１内の内容物が外部に噴射されるようになっている。
【００２５】
このようなエアゾール二重容器では、内袋３１内に化粧料、整髪料などの内容物を充填し、外缶２１と内袋３１との間隙に噴射用ガスとなる液化石油ガスなどの液化ガス、加圧窒素ガスなどの圧縮ガスを充填した状態で使用され、噴射用ガスの圧力によって内袋３１が圧縮され、内袋３１内の内容物が噴射ノズル４３から外部に噴射されるようになっている。
【００２６】
つぎに、このエアゾール二重容器の製造方法の一例について簡単に説明する。
まず、外缶２１および内袋３１を予め作製しておき、外缶２１の内部に内袋３１を挿入し、内袋３１の底部３８の着地部４０が外缶２１の底部２５の内面に直接接するように配置する。ついで、内袋３１内に内容物を充填したのち、マウンティングカップ４１を内袋３１の口部３５に被せる。
【００２７】
ついで、内袋３１と外缶２１のカール部２４との間から、噴射用ガスを充填した後、マウンティングカップ４１を押し下げ、マウンティングカップ４１の湾曲周辺部４２を内袋３１のフランジ部３６および外缶２１のカール部２４に被せ、これを巻き締めてクリンプし、目的とするエアゾール二重容器を得る。
【００２８】
このような構造のエアゾール二重容器にあっては、内袋３１の胴部３２に複数の縦溝３９が形成され、胴部３２の下部にテーパ部３７が形成され、底部３８の中央には上方に鞍状に凹んだ凹部が形成され、この凹部の縁部に凸状の着地部４０においてのみ外缶２１の底部２５に接する状態となっているため、内袋３１の胴部３２の下部および底部３８の機械的強度が部分的に高いものとなり、内袋３１内に内容物を充填する際に、この部分が撓んで変形することがない。このため、内袋３１への内容物の充填前後で、内袋３１の口部３５の位置が下方に移動することがなくなり、内容物および噴射用ガスの充填作業に不都合が生じない。
【００２９】
このため、内袋３１として、可撓性に富む材料からなるものを用いることができ、内容物の吐出に要する圧力が少なくてすみ、内容物が残ることもない。
【００３０】
また、内袋３１の胴部３２の下方がテーパ部３７となって縮径され、底部３８の外径が外缶２１の口部２３の内径よりも小さくされているので、内袋３１の外缶２１内への挿入作業が容易となる。特に、内袋３１の表層が滑剤が添加されたポリエチレンなどの樹脂から形成されていれば、さらに滑りが良くなって一層挿入が容易となる。
【００３１】
さらに、内袋３１は、その底部３８に形成された２個の着地部４０で外缶２１の底部２５に接するので、内袋３１が安定する。また、底部３８が鞍状に凹んでいるので、内容物を吐出する際に底部３８が潰れやすく、きれいに折り畳まれるようになって、内容物が吐出されずに残る量が少なくなる。
【００３２】
また、内袋３１の肩部３３から首部３４にかけて全体になだらかに湾曲しているので、噴射用ガスの充填が抵抗なく、スムースにかつ容易に行われる。さらに、内袋３１の胴部３２に縦溝３９が形成されているので、内容物の吐出時に、胴部３２の中央部分が先に潰れるが、胴部３２が潰されても、縦溝３９によって隙間が形成され、底部３８にある内容物が吐出する通路が確保でき、内容物が底部３８に残ることがない。
【図面の簡単な説明】
【００３３】
【図１】本発明のエアゾール二重容器の一例を示す一部分解した断面図である。
【図２】図１に示したエアゾール二重容器を９０度回転させた状態を示す部分断面図である。
【図３】本発明のエアゾール二重容器に用いられる内袋の一例を示す一部断面した側面図である。
【図４】図３に示した内袋を９０度回転させた状態を示す一部断面した側面図である。
【図５】本発明のエアゾール二重容器に用いられる内袋の底部を示す斜視図である。
【図６】本発明のエアゾール二重容器に用いられる内袋の肩部から口部を示す断面図である。
【図７】従来のエアゾール二重容器を示す断面図である。
【符号の説明】
【００３４】
２１・・・外缶、２３・・・口部、２５・・・底部、３１・・・内袋、３７・・・テーパ部、３８・・・底部、３９・・・縦溝、４０・・・着地部、４１・・・マウンティングカップ
【図１】
2005041547.tif 000003
【図２】
2005041547.tif 000004
【図３】
2005041547.tif 000005
【図４】
2005041547.tif 000006
【図５】
2005041547.tif 000007
【図６】
2005041547.tif 000008
【図７】
2005041547.tif 000009